(57)【要約】      （修正有）【課題】滑りにくく、操作性に優れたレバーハンドル用カバーを提供する。【解決手段】開口端から挿入したレバーハンドルに対してニット生地の収縮性によって締め付けられる密接する大きさの袋状に形成した。ハンドルカバー主体１の内奥内面に、レバーハンドル３表面に密着する滑り止め片４を固定する。ニット生地には、レバーハンドル３に対する収縮力を強化するゴムを編み込む他、帯電防止糸を編み込むことにより、静電気の放電を防止することができる。【選択図】図１
0003152676.tif 000002
【実用新案登録請求の範囲】
【請求項１】
開口端から挿入したレバーハンドルに対してニット生地の収縮性によって締め付けられる大きさの袋状に形成したハンドルカバー主体の内奥内面に、レバーハンドル表面に密着する滑り止め片を固定したことを特徴とするレバーハンドル用カバー。
【請求項２】
ニット生地に、レバーハンドルに対する収縮力を強化するゴムを編み込んだことを特徴とする請求項１記載のレバーハンドル用カバー。
【請求項３】
ニット生地に帯電防止糸を編み込んだことを特徴とする請求項１又は２記載のレバーハンドル用カバー。
【請求項４】
長寸法筒状に編んだニット生地を表裏両面が表地となるように半分の長さを捲くり返し、捲くり返した折り返し部分を開口端とし、長寸法の筒状の先端どうしの重ね合わせ位置を縫製して袋状のハンドルカバー主体としたことを特徴とする請求項１ないし３のいずれかに記載のレバーハンドル用カバー。
【請求項５】
裏返し状態の長寸法筒状に編んだニット生地を一端から長手方向に一定寸法切り開き、切り開いて現れた表面に滑り止め片を縫着によって固定し、前記切り開いた部分を縫着することによってハンドルカバー主体の内奥内面にレバーハンドル表面に密着する滑り止め片を固定したことを特徴とする請求項４記載のレバーハンドル用カバー。
【請求項６】
平面に編んだニット生地の表面に滑り止め片を縫着によって固定し、ニット生地の両側縁を縫着することによって長寸法筒状に形成し、表裏両面が表地となるように半分の長さを捲くり返し、捲くり返した折り返し部分を開口端とし、長寸法の筒状の先端どうしの重ね合わせ位置を縫製して袋状のハンドルカバー主体としたことを特徴とする請求項１ないし３のいずれかに記載のレバーハンドル用カバー。
【考案の詳細な説明】
【技術分野】
【０００１】
本考案は、各種ドアー用のレバーハンドルに装着する、レバーハンドル用カバーに関する考案である。
【背景技術】
【０００２】
従来から、ドアハンドルとしてドアノブが多く採用されてきたが、近年、老人や子供あるいは障害者に対する操作の容易性、安全性の点などから、レバーハンドルが多く採用されるようになった。従来多用されてきたドアノブに対して、装飾性や衛生面を考慮して布製のカバーを装着することは古くから知られている。また、滑らず、静電気を発生させないようにシリコーンゴム製等のカバーも提案されている。
【先行技術文献】
【特許文献】
【０００３】
【特許文献１】実用新案登録第３０９９０４２号公報
【特許文献２】特開平１１―６２３３１号公報
【考案の概要】
【考案が解決しようとする課題】
【０００４】
従来、ドアノブに装着される布製のカバーは、ノブを掴んで回すときに滑り易い欠点がある。また、特許文献１などに開示されるシリコーンゴム製などのカバーは、布製のような装飾性、温かみに欠ける欠点がある。
従来、レバーハンドルに対しては装着の困難性などから、布製等のカバーを装着することが行われていなかった。
【０００５】
上記、従来技術の欠点に鑑み、本考案は、レバーハンドルに対して装着する布製、具体的にはニット生地によって温かみのあるレバーハンドル用カバーを実現するとともに、持ったときに滑りにくく、操作性に優れたものを実現することを目的とするものである。
【考案の開示】
【課題を解決するための手段】
【０００６】
請求項１記載の考案は、レバーハンドル用カバーをニット生地によって形成する。すなわち、ハンドルカバー主体１を開口端２から挿入したレバーハンドル３に対してニット生地の収縮性によって締め付けられる大きさの袋状に形成する。そして、ハンドルカバー主体１の内奥内面に、レバーハンドル３表面に密着する滑り止め片４を固定する。
【０００７】
請求項２記載の考案は、ニット生地に、レバーハンドル３に対する収縮力を強化するゴムを編み込んだこと、請求項３記載の考案は、ニット生地に帯電防止糸を編み込むことである。
【０００８】
請求項４記載の考案は、ニット生地を用いて製造する具体的な構造に関するものである。すなわち、長寸法筒状に編んだニット生地５を用い、表裏両面が表地となるように半分の長さを捲くり返し、捲くり返した折り返し部分を開口端２とし、長寸法の筒状の先端どうしの重ね合わせ位置を縫製６して袋状のハンドルカバー主体１とする構造である。
【０００９】
請求項５記載の考案は、請求項４記載の考案を製造する具体的構造に関する考案である。すなわち、裏返し状態の長寸法筒状に編んだニット生地５を一端から長手方向に一定寸法切り開き、切り開いて現れた表面に滑り止め片４を縫着によって固定し、前記切り開いた部分を縫着７する。この後、請求項４に述べたように、表裏両面が表地となるように半分の長さを捲くり返し、捲くり返した折り返し部分を開口端２とし、長寸法の筒状の先端どうしの重ね合わせ位置を縫製６して袋状のハンドルカバー主体１とする。
【００１０】
請求項６記載の考案は、平面に編んだニット生地８からハンドルカバー主体１を製造する構造である。すなわち、平面に編んだニット生地８の表面に滑り止め片４を縫着によって固定し、ニット生地の両側縁を縫着９することによって長寸法筒状に形成する。この長寸法筒状に形成したニット生地は、表裏両面が表地となるように半分の長さを捲くり返し、捲くり返した折り返し部分を開口端２とし、長寸法の筒状の先端どうしの重ね合わせ位置を縫製６して袋状のハンドルカバー主体１とすることである。
【考案の効果】
【００１１】
請求項１記載の考案によれば、ハンドルカバー主体１の開口端からレバーハンドル３を挿入すると、ハンドルカバー主体１の内奥に配置した滑り止め片４が、レバーハンドル３の先端部分に密着し、脱落が防止される。特に、レバー操作の際にレバーハンドル３の先端部分を握るため、ハンドルカバー主体に位置ずれを生じることなく確実に操作することができる。また、ハンドルカバー主体１をニット生地によって形成するため、例えば裏返し状態のハンドルカバー主体１を、レバーハンドル３の先端にあてがい、表側に反転させるようにして被せると、強く密着する滑り止め片を装着するものであっても、装着が容易で外れにくい効果がある。
【００１２】
ハンドルカバー主体１をニット生地によって構成することによって、例えばハンドル寸法が短いレバーに対しても、開口端部分を折り返すことによって各種サイズのものに使用することが可能である。また、ニット生地は、柄や色彩によって装飾性に優れたものとすることが可能であるとともに、パイル生地とすることも可能で、冬季においても金属製の冷たいレバーハンドルを躊躇なくもつことができる。
【００１３】
請求項２記載の考案によれば、ニット生地の収縮力を強化することによってレバーハンドルに対してハンドルカバー主体１をよりしっかりと装着することができる。請求項３記載の考案によれば、ソフトな使用感であるニット生地のハンドルカバーであって、静電気の発生を防止することができる。
【００１４】
請求項４記載の考案によれば、ニット生地の二重構造であって、手に柔らかく使い心地に優れるとともに、丈夫なレバーハンドル用カバーを実現することができる。
請求項５記載の考案によれば、請求項４記載のレバーハンドル用カバーを比較的簡単に、特に滑り止め片４を縫着する構造によって比較的簡単かつ能率的に製造することができる。
請求項６記載の考案によれば、平面的なニット生地８から、本考案に係るハンドルカバーを実現することができる。
【図面の簡単な説明】
【００１５】
【図１】図１は本考案に係るレバーハンドル用カバーの使用状態を示す斜視図、
【図２】図２はレバーハンドル用カバーの縦断面図、
【図３】図３は筒状に編んだニット生地によるレバーハンドル用カバーの製造工程を示す概略図、
【図４】図４は平面的に編んだニット生地によるレバーハンドル用カバーの製造工程を示す概略図である。
【考案を実施するための最良の形態】
【００１６】
以下、本考案に係るレバーハンドル用カバーの実施形態を添付の図面に基づいて説明する。
図１、図２に示すように、本考案に係るレバーハンドル用カバーのハンドルカバー主体１は、ニット生地によって袋状に形成する。ハンドルカバー主体１の内奥部分の内面には、レバーハンドル３表面に密着する滑り止め片４を固定している。このように、内奥内面に滑り止め片４を固定したハンドルカバー主体１は、図１に示すように二点鎖線で示すように、開口端２からレバーハンドル３に挿入すると、滑り止め片がレバーハンドル３の表面に密着し所定位置に係止される。
【００１７】
このとき、ハンドルカバー主体１がニット生地であって伸縮性を有するため、ハンドルカバー主体１がレバーハンドル３を抱持し滑り止め片４が密着する。この際、ニット生地に収縮力を強化するゴム糸を編み込んでおくと、滑り止め片４がより強くレバーハンドル３に密着し、ハンドルカバー主体１がしっかりと装着されることになる。
【００１８】
滑り止め片４として、摩擦抵抗が大きく滑り止めとして機能するものであればゴム、ウレタンなど各種材質のものを利用することができるが、公知のアクリル樹脂系の吸着性部材のように、吸着性のあるものを使用するのが好ましい。この滑り止め片４は、袋状に形成するハンドルカバー主体１の内面に接着、縫着など任意の手段によって固定することができるが、ハンドルカバー主体１がニット生地であることから、滑り止め片４は縫着によって固定するのが望ましい。
【００１９】
図示実施形態のハンドルカバー主体１は、ニット生地の二重構造としている。ニット生地の二重構造であるハンドルカバー主体１は、筒状に編んだニット生地５から製造することができる。例えば、長寸法筒状に編んだニット生地の表面に滑り止め片４を接着などによって固定し、表裏両面が表地となるように半分の長さを捲くり返し、捲くり返した折り返し部分を開口端２とし、長寸法の筒状の先端どうしの重ね合わせ位置を縫製６して袋状のハンドルカバー主体とすることができる。
【００２０】
上記ニット生地の二重構造であるハンドルカバー主体１に、滑り止め片４を縫着した構造とするには、図３に示すように、筒状に編んだニット生地５は、図３（a）に示すように裏返し状態とし、図３（b）に示すように一端から長手方向に一定寸法の切り込み10を設けて切り開き、切り開いて現れた表面に滑り止め片４を縫着する。滑り止め片４を縫着した後、図３（c）に示すように前記切り込み10を縫着７し、図３（d）に示すように表裏両面が表地となるように半分の長さを捲くり返し、捲くり返した折り返し部分を開口端２とし、長寸法の筒状の先端どうしの重ね合わせ位置を縫製６して袋状のハンドルカバー主体とする。図３（d）に示すハンドルカバー主体１は滑り止め片４が表面に表れているが、これを反転させると図３（e）に示すようにハンドルカバー主体１の内奥内面に、滑り止め片４が固定された状態となる。このハンドルカバー主体１の開口端２から、二点鎖線で示すレバーハンドル３を先端から挿入して装着する。
【００２１】
本考案に係るレバーハンドル用カバーは、図４に示すように平面に編んだニット生地８からも製造することができる。図４（a）に示すように、平面に編んだニット生地の表面に滑り止め片を縫着によって固定する。この状態でニット生地８の両側縁をニット生地の表面側に捲くり、図４（b）に示すように両側縁どうしを重ね合わせて縫着９し、長寸法筒状に形成する。この長寸法筒状に形成したものを、図４（c）に示すように  表裏両面が表地となるように半分の長さを捲くり返し、捲くり返した折り返し部分を開口端２とし、長寸法の筒状の先端どうしの重ね合わせ位置を縫製６して袋状のハンドルカバー主体１とする。これを、図４（d）に示すように表裏反転させると、ハンドルカバー主体１の内奥内面に、滑り止め片４が固定されたハンドルカバー主体１が完成する。
【００２２】
ニット生地で構成するハンドルカバー主体１には、編み立てる際に任意の糸を編み込むことができる。したがって、ゴム糸を周方向に編み込むことによってレバーハンドルに対してより強く締め付けることができる。また、帯電防止糸、具体的には金属やカーボン入り繊維のように導電性の糸を編み込むことによって静電気による放電を防止することができる。
【符号の説明】
【００２３】
１…ハンドルカバー主体、  ２…開口端、  ３…レバーハンドル、  ４…滑り止め片、  ５、８…ニット生地、  ６…縫製、  ７、９…縫着、  10…切り込み。
【図１】
0003152676.tif 000003
【図２】
0003152676.tif 000004
【図３】
0003152676.tif 000005
【図４】
0003152676.tif 000006